(57)【要約】  タッチディスプレイ（３）がタッチされたことを検出するタッチ検出部（１１）と、タッチ検出部（１１）が検出したタッチに関する情報に基づき、タッチディスプレイ（３）の、表示装置（１００）に備えられた導電物（５）によるタッチ、を検出する導電物タッチ検出部（１２）と、導電物タッチ検出部（１２）が検出した、導電物（５）によるタッチの、タッチディスプレイ（３）上のタッチ位置に基づき、操作可能領域を判定するアクティブエリア判定部（１３）を備えた。
2020261439.tif 000002
【特許請求の範囲】
【請求項１】
引き出しまたは引き戻しされることでタッチ操作される領域が変化するタッチディスプレイを備える表示装置における前記タッチディスプレイの操作可能領域を判定する領域判定装置において、
前記タッチディスプレイがタッチされたことを検出するタッチ検出部と、
前記タッチ検出部が検出したタッチに関する情報に基づき、前記タッチディスプレイの、前記表示装置に備えられた導電物によるタッチ、を検出する導電物タッチ検出部と、
前記導電物タッチ検出部が検出した、前記導電物によるタッチの、前記タッチディスプレイ上のタッチ位置に基づき、前記操作可能領域を判定するアクティブエリア判定部
を備えた領域判定装置。
【請求項２】
前記アクティブエリア判定部は、
前記導電物に対して、前記導電物によるタッチのタッチ位置よりも前記タッチディスプレイの引き出し方向側の、前記タッチディスプレイ上の領域を、前記操作可能領域を判定し、
前記導電物に対して、前記導電物によるタッチのタッチ位置よりも前記タッチディスプレイの引き戻し方向側の、前記タッチディスプレイ上の領域を、前記タッチ操作が不可能な領域と判定する
ことを特徴とする請求項１記載の領域判定装置。
【請求項３】
前記導電物タッチ検出部が検出した、前記導電物によるタッチのタッチ位置の変化に基づいて、前記タッチディスプレイが引き出し中であるか、前記タッチディスプレイが引き戻し中であるか、または、前記タッチディスプレイが静止中であるかの、前記タッチディスプレイの状態を判定する状態判定部を備え、
前記アクティブエリア判定部は、エリア判定用周期で前記操作可能領域を判定しており、前記操作可能領域を判定後、前記状態判定部が前記タッチディスプレイは静止中であると判定した場合は、以降、前記状態判定部が前記タッチディスプレイは引き出し中または引き戻し中であると判定するまで、判定した前記操作可能領域を維持する
ことを特徴とする請求項１記載の領域判定装置。
【請求項４】
前記導電物タッチ検出部が検出した、前記導電物によるタッチのタッチ位置の変化に基づいて、前記タッチディスプレイが引き出し中であるか、前記タッチディスプレイが引き戻し中であるか、または、前記タッチディスプレイが静止中であるかを判定する状態判定部を備え、
前記アクティブエリア判定部は、エリア判定用周期で前記操作可能領域を判定しており、前記操作可能領域を判定後、前記状態判定部が前記タッチディスプレイは静止中であると判定した場合は、以降、前記状態判定部が前記タッチディスプレイは引き出し中または引き戻し中であると判定するまで、前記エリア判定用周期を長くする
ことを特徴とする請求項１記載の領域判定装置。
【請求項５】
前記導電物タッチ検出部は、前記導電物によるタッチを検出するための信号強度の閾値を、前回の、前記導電物によるタッチ検出時の信号強度に基づいて調整する
ことを特徴とする請求項１記載の領域判定装置。
【請求項６】
前記導電物は接地されている
ことを特徴とする請求項１記載の領域判定装置。
【請求項７】
請求項１から請求項６のうちのいずれか１項記載のタッチ領域判定装置と、
前記タッチディスプレイを収納する収納部と、
前記収納部の、前記タッチディスプレイが引き出しまたは引き戻しされるタッチディスプレイ用窓部に設けられた前記導電物
を備えた表示装置。
【請求項８】
可とう性を有し、引き出しまたは引き戻しされることでタッチ操作される領域が変化するタッチディスプレイと、
前記タッチディスプレイを収納する収納部と、
前記収納部の、前記タッチディスプレイが引き出しまたは引き戻しされるタッチディスプレイ用窓部に設けられた導電物
を備えた表示装置。
【請求項９】
引き出しまたは引き戻しされることでタッチ操作される領域が変化するタッチディスプレイを備える表示装置における前記タッチディスプレイの操作可能領域を判定する領域判定方法において、
タッチ検出部が、前記タッチディスプレイがタッチされたことを検出するステップと、
導電物タッチ検出部が、前記タッチ検出部が検出したタッチに関する情報に基づき、前記タッチディスプレイの、前記表示装置に備えられた導電物によるタッチ、を検出するステップと、
アクティブエリア判定部が、前記導電物タッチ検出部が検出した、前記導電物によるタッチの、前記タッチディスプレイ上のタッチ位置に基づき、前記操作可能領域を判定するステップ
を備えた領域判定方法。
【発明の詳細な説明】
【技術分野】
【０００１】
この発明は、タッチ操作が可能な領域が変化するタッチディスプレイにおいて、タッチ操作が可能な領域を判定する領域判定装置、当該タッチディスプレイを備えた表示装置、および、領域判定方法に関するものである。
【背景技術】
【０００２】
従来、引き出しまたは引き戻しされることでタッチディスプレイ上のタッチ操作が可能な領域（以下「操作可能領域」という。）が変化するタッチディスプレイを有する表示装置が知られている。
操作可能領域が変化するタッチディスプレイにおいて、当該操作可能領域を判定する技術として、例えば、特許文献１には、第１方向に可変的に露出する表示面積を形成し、前面にタッチセンサが位置されるフレキシブル表示パネルを備える表示装置において、第１方向上で導電パターンと対応して位置するセンシングパターンを備えるようにし、導電パターンおよびセンシングパターンのうちのいずれか１つに流れる電流をセンシングして、フレキシブル表示パネルの表示面積に対応するイメージを表示する技術が開示されている。
【先行技術文献】
【特許文献】
【０００３】
【特許文献１】特開２０１４−２３４８号公報
【発明の概要】
【発明が解決しようとする課題】
【０００４】
上述の、フレキシブル表示パネルにおける表示領域を判定する技術に代表されるような従来技術では、操作可能領域を判定するために、センシングパターンを備えるようにし、当該センシングパターンと導電パターンの対応付けを行う必要があるため、タッチディスプレイ上の操作可能領域を判定するための複雑な仕組みを必要とするという課題があった。【０００５】
この発明は上記のような課題を解決するためになされたもので、複雑な構成を必要とすることなく、引き出しまたは引き戻しされることでタッチディスプレイ上の操作可能領域が変化するタッチディスプレイ、における操作可能領域を判定することができる領域判定装置を提供することを目的とする。
【課題を解決するための手段】
【０００６】
この発明に係る領域判定装置は、引き出しまたは引き戻しされることでタッチ操作される領域が変化するタッチディスプレイを備える表示装置におけるタッチディスプレイの操作可能領域を判定する領域判定装置において、タッチディスプレイがタッチされたことを検出するタッチ検出部と、タッチ検出部が検出したタッチに関する情報に基づき、タッチディスプレイの、表示装置に備えられた導電物によるタッチ、を検出する導電物タッチ検出部と、導電物タッチ検出部が検出した、導電物によるタッチの、タッチディスプレイ上のタッチ位置に基づき、操作可能領域を判定するアクティブエリア判定部を備えたものである。
【発明の効果】
【０００７】
この発明によれば、複雑な仕組みを必要とすることなく、引き出しまたは引き戻しされることでタッチディスプレイ上の操作可能領域が変化するタッチディスプレイ、における操作可能領域を判定することができる。
【図面の簡単な説明】
【０００８】
【図１】実施の形態１に係る領域判定装置を搭載した表示装置の構成例を説明するための図である。
【図２】実施の形態１に係る領域判定装置の構成例を説明するための図である。
【図３】図３Ａ，図３Ｂは、実施の形態１に係る領域判定装置における、タッチディスプレイの、収納部からの引き出し、または、収納部への引き戻しに応じて変化する操作可能領域の判定のイメージを説明するための図である。
【図４】実施の形態１に係る領域判定装置の動作について説明するフローチャートである。
【図５】実施の形態１において、図４のステップＳＴ４０２の動作を具体的に説明するためのフローチャートである。
【図６】実施の形態１において、領域判定装置が、タッチディスプレイが引き出し中であるか、タッチディスプレイが引き戻し中であるか、または、タッチディスプレイが静止中であるかを判定し、判定結果に基づいて、操作可能領域の判定タイミングを変更する機能を有するようにした場合の、領域判定装置の構成例を説明するための図である。
【図７】実施の形態１において、状態判定部を備えるようにした領域判定装置の動作を説明するためのフローチャートである。
【図８】実施の形態１において、導電物が劣化する前と、導電物が劣化した後の、タッチディスプレイにおいて検出される信号強度のイメージを説明するための図である。
【図９】実施の形態１に係る領域判定装置を、両端がそれぞれ引き出しまたは引き戻されるタッチディスプレイの操作可能領域の判定に適用した場合の、当該タッチディスプレイを備えた表示装置におけるタッチディスプレイおよび導電物のイメージを説明する図である。
【図１０】図１０Ａ，図１０Ｂは、実施の形態１に係る領域判定装置のハードウェア構成の一例を示す図である。
【発明を実施するための形態】
【０００９】
以下、この発明をより詳細に説明するために、この発明を実施するための形態について、添付の図面に従って説明する。
実施の形態１．
実施の形態１に係る領域判定装置は、タッチディスプレイ上においてタッチ操作が可能な操作可能領域が変化するタッチディスプレイ、を備える表示装置に搭載される。タッチディスプレイは、可とう性を有する。実施の形態１では、タッチディスプレイは、巻取り式のタッチディスプレイが想定されている。表示装置は、例えば、車両のコックピットに設けられる。なお、これは一例に過ぎず、表示装置は、タッチディスプレイ上においてタッチ操作が可能な操作可能領域が変化するタッチディスプレイを備える、あらゆる表示装置を含む。
領域判定装置は、タッチディスプレイにおける操作可能領域を判定する。
【００１０】
図１は、実施の形態１に係る領域判定装置１を搭載した表示装置１００の構成例を説明するための図である。
表示装置１００は、領域判定装置１を備え、タッチディスプレイ３、駆動制御部４、および、導電物５を備える。表示装置１００において、領域判定装置１、タッチディスプレイ３、駆動制御部４、および、導電物５は、表示装置１００が備える収納部２に収納される。
収納部２には、タッチディスプレイ３の、収納部２からの引き出し、または、収納部２への引き戻しが行われるタッチディスプレイ用窓部２１が設けられる。タッチディスプレイ用窓部２１は、例えば、収納部２に設けられたスリットである。
タッチディスプレイ３は、可とう性を有する巻取り式のタッチディスプレイである。タッチディスプレイ３は、タッチ検出回路（図示省略）を備えており、当該タッチ検出回路によってタッチディスプレイ３へのタッチを検出する。また、タッチディスプレイ３は、受け付けたタッチがユーザによる、ユーザが表示装置１００を操作するためのタッチ（以下、単に「ユーザによるタッチ」という。）によるものである場合、当該ユーザによるタッチに基づく情報を表示する。
【００１１】
具体的には、タッチディスプレイ３がタッチを検出すると、表示装置１００に備えられた受付部（図示省略）が当該タッチを受け付け、受け付けたタッチに関する情報を、領域判定装置１に出力する。表示装置１００に備えられた表示制御部（図示省略）は、領域判定装置１が、受付部が受け付けたタッチに関する情報に基づいて判定した、ユーザによるタッチに基づき、当該ユーザによるタッチに基づく情報を、タッチディスプレイ３に表示させる。その際、表示制御部は、領域判定装置１が判定した操作可能領域を、表示領域として、当該表示領域に、情報を表示する。タッチディスプレイ３上の操作可能領域、言い換えれば、タッチディスプレイ３上の表示領域は、タッチディスプレイ３の、収納部２からの引き出し、または、収納部２への引き戻しに応じて変化する。領域判定装置１は、変化するタッチディスプレイ３上の操作可能領域を判定する。領域判定装置１の詳細については後述する。
【００１２】
駆動制御部４は、タッチディスプレイ３の収納部２からの引き出しまたは引き戻しを行う駆動部（図示省略）を制御する。駆動部は、例えば、モータである。駆動部が回転することで、タッチディスプレイ３が収納部２から引き出される。また、駆動部が回転することで、タッチディスプレイ３が巻き取られ、収納部２へ引き戻される。
駆動制御部４は、駆動部の回転量を制御する。
例えば、ユーザがタッチディスプレイ３の引き出しまたは引き戻しを指示すると、表示装置１００の受付部が当該指示を受け付け、受け付けた指示を駆動制御部４に出力する。駆動制御部４は、受付部が受け付けた指示に基づき、駆動部の回転量を制御する。
【００１３】
導電物５は、例えば、導電ブラシであり、タッチディスプレイ用窓部２１に、タッチディスプレイ３と接触するように設けられる。導電物５は、収納部２のタッチディスプレイ用窓部２１付近に、適宜の方法で設けられればよく、導電物５がタッチディスプレイ３に接触するようになっていればよい。
タッチディスプレイ３において、導電物５のタッチの検出精度を上げるため、導電物５は接地されている。
【００１４】
図２は、実施の形態１に係る領域判定装置１の構成例を説明するための図である。
領域判定装置１は、タッチ検出部１１、導電物タッチ検出部１２、および、アクティブエリア判定部１３を備える。
タッチ検出部１１は、表示装置１００の受付部から出力された、タッチに関する情報に基づき、タッチディスプレイ３がタッチされたことを検出する。
タッチ検出部１１は、タッチディスプレイ３がタッチされたことを検出すると、当該タッチに関する情報を、導電物タッチ検出部１２に出力する。タッチに関する情報には、タッチディスプレイ３にてタッチを検出した、当該タッチによる信号強度、および、タッチディスプレイ３上のタッチ位置の座標（以下「タッチ位置座標」という。）に関する情報が含まれる。
【００１５】
導電物タッチ検出部１２は、タッチ検出部１１から出力された、タッチに関する情報に基づき、導電物５によるタッチを検出する。導電物タッチ検出部１２は、タッチに関する情報に含まれる、タッチによる信号強度およびタッチ位置座標に基づき、導電物５によるタッチを検出する。
具体的には、導電物タッチ検出部１２は、タッチに関する情報に含まれる、タッチによる信号強度およびタッチ位置座標が、予め設定された、導電物によるタッチ判定条件を満たすか否かを判定することで、導電物５によるタッチを検出する。判定条件とは、例えば、タッチによる信号強度が予め設定された閾値（以下「強度判定用閾値」という。）以上であり、かつ、タッチ位置座標に基づくタッチ領域の面積が、予め設定された閾値（以下「面積判定用閾値」という。）以上であるか否か、である。例えば、導電物タッチ検出部１２は、タッチによる信号強度が強度判定用閾値以上であり、かつ、タッチ位置座標に基づくタッチ領域の面積が面積判定用閾値以上であるか否かを判定する。導電物タッチ検出部１２は、タッチによる信号強度が強度判定用閾値以上であり、かつ、タッチ領域の面積が面積判定用閾値以上であれば、タッチ検出部１１が検出したタッチは導電物５によるものであると判定し、当該タッチを導電物５によるタッチとして検出する。
【００１６】
なお、強度判定用閾値には、例えば、導電物５がタッチディスプレイ３にタッチしたと推定される信号強度に多少の余裕を持たせた値が、予め設定されている。また、導電物５がタッチディスプレイ３と完全に接する面積は予め分かっているので、当該面積に基づき、面積判定用閾値には、導電物５によるタッチと判定するのに十分な広さの面積が、予め設定されている。強度判定用閾値および面積判定用閾値は、ユーザ等が、適宜設定可能である。なお、導電物タッチ検出部１２は、例えば。タッチ位置座標に基づくタッチ領域の面積が、面積判定用閾値未満である場合は、タッチ検出部１１が検出したタッチは、ユーザによるタッチであると判定する。導電物タッチ検出部１２は、タッチによる信号強度も考慮して、ユーザによるタッチを判定するようにしてもよい。
ここで、タッチ検出部１１が検出するタッチは、１つに限らない。言い換えれば、タッチ位置座標に基づくタッチ領域は、１つに限らない。タッチ位置座標に基づくタッチ領域が複数存在する場合、導電物タッチ検出部１２は、全てのタッチ領域に対して、上述の、導電物５によるタッチの検出を行う。
【００１７】
導電物タッチ検出部１２は、検出した、導電物５によるタッチに関する情報（以下「導電物タッチ情報」という。）を、アクティブエリア判定部１３に出力する。導電物タッチ情報には、導電物タッチ検出部１２が導電物５によるタッチを検出した、タッチディスプレイ３上のタッチ位置の座標（以下「導電物タッチ位置座標」という。）に関する情報が含まれる。
導電物タッチ検出部１２は、ユーザによるタッチであると判定した、タッチディスプレイ３のタッチについては、当該タッチに関する情報を、ユーザのタッチに関する情報として、表示制御部に出力する。ユーザのタッチに関する情報には、例えば、導電物タッチ検出部１２がユーザのタッチと判定した、タッチディスプレイ３上のタッチ位置の座標に関する情報が含まれる。表示制御部は、導電物タッチ検出部１２から出力された、ユーザのタッチに関する情報に基づき、表示する情報を決定し、アクティブエリア判定部１３が判定した操作可能領域を表示領域とし、当該表示領域に、決定した情報を表示する。上述のとおり、タッチディスプレイ３上の操作可能領域は変化する。これに伴い、操作可能領域の面積も変化し得る。表示制御部は、操作可能領域の面積の変化に応じて、表示する情報量を変更してもよいし、情報を表示させる縮尺を変更してもよい。
【００１８】
アクティブエリア判定部１３は、導電物タッチ検出部１２から出力された導電物タッチ情報に基づく、導電物タッチ検出部１２が検出した、導電物５によるタッチの、タッチディスプレイ３上のタッチ位置に基づき、操作可能領域を判定する。
具体的には、アクティブエリア判定部１３は、導電物５に対して、導電物５によるタッチのタッチ位置（以下、単に「導電物５によるタッチ位置」という。）よりもタッチディスプレイ３の引き出し方向側の、タッチディスプレイ３上の領域を、操作可能領域と判定する。アクティブエリア判定部１３は、導電物５に対して、導電物５によるタッチ位置よりもタッチディスプレイ３の引き戻し方向側の、タッチディスプレイ３上の領域を、タッチ操作が不可能な領域と判定する。
【００１９】
図３は、実施の形態１に係る領域判定装置１における、タッチディスプレイ３の、収納部２からの引き出し、または、収納部２への引き戻しに応じて変化する操作可能領域の判定のイメージを説明するための図である。なお、図３では、タッチディスプレイ３および導電物５のみ図示するようにしている。また、図３において、図３の３１で示す領域は、タッチディスプレイ３に設けられている、ユーザがタッチすることができない領域を示している。
【００２０】
図３では、図上、上方向に巻き取り可能としたタッチディスプレイ３を示している。
図３では、タッチディスプレイ３が、図３Ａに示す状態から、図上、上方向に引き戻され、図３Ｂに示す状態になったものとしている。なお、実施の形態１において、タッチディスプレイ３が引き戻されるとは、言い換えれば、タッチディスプレイ３が巻き取られることである。
タッチディスプレイ３が、図３Ａの状態である場合、領域判定装置１において、導電物タッチ検出部１２は、タッチディスプレイ３上の図３Ａの３０１ａの領域のタッチを、導電物５によるタッチとして検出し、アクティブエリア判定部１３は、タッチディスプレイ３上の図３Ａの３０２ａの領域を、操作可能領域と判定する。なお、上述のとおり、図上、３１で示す範囲は、ユーザがタッチすることができない範囲であるため、実質的には、操作可能領域は、図３Ａにおいて３０２１ａで示す領域となる。
タッチディスプレイ３が、図３Ａの状態から引き戻され、図３Ｂの状態となった場合、領域判定装置１において、導電物タッチ検出部１２は、タッチディスプレイ３上の図３Ｂの３０１ｂの領域のタッチを、導電物５によるタッチとして検出し、アクティブエリア判定部１３は、タッチディスプレイ３上の図３Ｂの３０２ｂの領域を、操作可能領域と判定する。
【００２１】
実施の形態１に係る領域判定装置１の動作について説明する。
図４は、実施の形態１に係る領域判定装置１の動作について説明するフローチャートである。
タッチ検出部１１は、表示装置１００の受付部から出力された、タッチに関する情報に基づき、タッチディスプレイ３がタッチされたことを検出する（ステップＳＴ４０１）。
タッチ検出部１１は、タッチディスプレイ３がタッチされたことを検出すると、当該タッチに関する情報を、導電物タッチ検出部１２に出力する。
【００２２】
導電物タッチ検出部１２は、タッチ検出部１１から出力された、タッチに関する情報に基づき、導電物５によるタッチを検出する（ステップＳＴ４０２）。
【００２３】
ここで、図５は、実施の形態１において、図４のステップＳＴ４０２の動作を具体的に説明するためのフローチャートである。
導電物タッチ検出部１２は、タッチ検出部１１から出力された、タッチに関する情報が、導電物５によるタッチの判定条件を満たすか否かを判定する（ステップＳＴ５０１）。例えば、導電物タッチ検出部１２は、タッチ検出部１１から出力されたタッチに関する情報に含まれる、タッチによる信号強度およびタッチ位置座標に基づき、タッチによる信号強度が強度判定用閾値以上であり、かつ、タッチ位置座標に基づくタッチ領域の面積が面積判定用閾値以上であるか否かを判定する。
【００２４】
導電物タッチ検出部１２は、タッチ検出部１１から出力された、タッチに関する情報が、導電物５によるタッチの判定条件を満たす場合（ステップＳＴ５０１の“ＹＥＳ”の場合）、タッチ検出部１１が検出したタッチは導電物５によるものであると判定し、当該タッチを導電物５によるタッチとして検出する（ステップＳＴ５０２）。例えば、導電物タッチ検出部１２は、タッチによる信号強度が強度判定用閾値以上であり、かつ、タッチ領域の面積が面積判定用閾値以上であれば、タッチ検出部１１が検出したタッチは導電物５によるものであると判定し、当該タッチを導電物５によるタッチとして検出する。
導電物タッチ検出部１２は、検出した導電物５によるタッチに基づく導電物タッチ情報を、アクティブエリア判定部１３に出力する。
【００２５】
タッチ位置座標に基づくタッチ領域が複数存在する場合、導電物タッチ検出部１２は、全てのタッチ領域に対して、ステップＳＴ５０１の判定を行い、導電物５によるタッチの検出を行う。なお、タッチ検出部１１から出力されたタッチに関する情報に基づく、導電物タッチ検出部１２が検出した、導電物５によるタッチ以外のタッチは、ユーザによるタッチとして、タッチ検出部１１から出力されたタッチに関する情報が、表示制御部に出力される。
【００２６】
図４のフローチャートに戻る。
アクティブエリア判定部１３は、ステップＳＴ４０２にて導電物タッチ検出部１２から出力された導電物タッチ情報に基づく、導電物タッチ検出部１２が検出した、導電物５によるタッチの、タッチディスプレイ３上のタッチ位置に基づき、操作可能領域を判定する（ステップＳＴ４０３）。
【００２７】
実施の形態１において、領域判定装置１は、タッチディスプレイ３の電源がＯＮ状態になると、タッチディスプレイ３がＯＮ状態の間、図４で説明したような動作を行う。領域判定装置１は、図４で説明した動作のうち、導電物５によるタッチの検出動作、言い換えれば、図４のステップＳＴ４０１〜ステップＳＴ４０２の動作を、常時行っている。また、領域判定装置１は、図４で説明した動作のうち、操作可能領域の判定動作、言い換えれば、図４のステップＳＴ４０３の動作を、１秒周期等、予め設定された周期（以下「エリア判定用周期」という。）で行っている
【００２８】
このように、実施の形態１に係る領域判定装置１は、導電物５によるタッチディスプレイ３のタッチを検出することで、操作可能領域を判定する。そのため、領域判定装置１は、複雑な仕組みを必要とすることなく、引き出しまたは引き戻しされることで、操作可能領域が変化するタッチディスプレイ３における操作可能領域を判定することができる。
【００２９】
以上の実施の形態１において、領域判定装置１は、タッチディスプレイ３が引き出し中であるか、タッチディスプレイ３が引き戻し中であるか、または、タッチディスプレイ３が静止中であるかの状態を判定し、判定結果に基づいて、操作可能領域の判定タイミング、言い換えれば、エリア判定用周期、を変更する機能を有するようにすることができるので、以下、詳細に説明する。
図６は、実施の形態１において、領域判定装置１が、タッチディスプレイ３が引き出し中であるか、タッチディスプレイ３が引き戻し中であるか、または、タッチディスプレイ３が静止中であるかを判定し、判定結果に基づいて、操作可能領域の判定タイミングを変更する機能を有するようにした場合の、領域判定装置１ａの構成例を説明するための図である。
図６において、図２で説明した領域判定装置１と同様の構成については、同じ符号を付して重複した説明を省略する。
領域判定装置１ａは、図２で説明した領域判定装置１の構成に加え、状態判定部１４を備える。
状態判定部１４は、導電物タッチ検出部１２が検出した、導電物５によるタッチ位置の変化に基づいて、タッチディスプレイ３の状態を判定する。具体的には、状態判定部１４は、タッチディスプレイ３が引き出し中であるか、タッチディスプレイ３が引き戻し中であるか、または、タッチディスプレイ３が静止中であるかを判定する。
【００３０】
状態判定部１４は、例えば、導電物タッチ検出部１２から出力された導電物タッチ情報を履歴で記憶しておき、記憶しておいた導電物タッチ情報に基づき、現在、導電物タッチ検出部１２が検出した導電物５によるタッチ位置が、導電物タッチ検出部１２が直前に検出した、導電物５によるタッチ位置と比べて、変化しているかどうかによって、タッチディスプレイ３が引き出し中であるか、タッチディスプレイ３が引き戻し中であるか、または、タッチディスプレイ３が静止中であるかを判定すればよい。状態判定部１４は、現在、導電物タッチ検出部１２が検出した導電物５によるタッチ位置が、導電物タッチ検出部１２が直前に検出した、導電物５によるタッチ位置よりも、タッチディスプレイ３上、収納部２側である場合、タッチディスプレイ３が引き出し中であると判定する。また、状態判定部１４は、現在、導電物タッチ検出部１２が検出した導電物５によるタッチ位置が、導電物タッチ検出部１２が直前に検出した、導電物５によるタッチ位置よりも、タッチディスプレイ３上、収納部２側とは反対側である場合、タッチディスプレイ３が引き戻し中であると判定する。また、状態判定部１４は、現在、導電物タッチ検出部１２が検出した導電物５によるタッチ位置が、導電物タッチ検出部１２が直前に検出した、導電物５によるタッチ位置と同じである場合、タッチディスプレイ３は静止中であると判定する。
なお、導電物タッチ検出部１２は、導電物タッチ情報を、アクティブエリア判定部１３および状態判定部１４に出力する。
状態判定部１４は、判定した、タッチディスプレイ３の状態に関する情報を、アクティブエリア判定部１３に出力する。
【００３１】
アクティブエリア判定部１３は、状態判定部１４が判定した、タッチディスプレイ３の状態に応じて、エリア判定用周期を変更する。
例えば、アクティブエリア判定部１３は、操作可能領域を判定後、状態判定部１４がタッチディスプレイ３は静止中であると判定した場合は、以降、次に状態判定部１４がタッチディスプレイ３は引き出し中または引き戻し中であると判定するまで、次の操作可能領域の判定を行わず、操作可能領域を維持する。
また、例えば、アクティブエリア判定部１３は、操作可能領域を判定後、状態判定部１４がタッチディスプレイ３は静止中であると判定した場合は、以降、次に状態判定部１４がタッチディスプレイ３は引き出し中または引き戻し中であると判定するまで、エリア判定用周期を長くする。
【００３２】
図７は、実施の形態１において、状態判定部１４を備えるようにした領域判定装置１ａの動作を説明するためのフローチャートである。
図７のステップＳＴ７０１〜ステップＳＴ７０３の具体的な動作は、図４のステップＳＴ４０１〜ステップＳＴ４０３の具体的な動作と同様であるため、重複した説明を省略する。
状態判定部１４は、導電物タッチ検出部１２が検出した、導電物５によるタッチ位置の変化に基づいて、タッチディスプレイ３の状態を判定する。その結果、状態判定部１４が、タッチディスプレイ３は、静止中であると判定した場合（ステップＳＴ７０４の“ＹＥＳ”の場合）、アクティブエリア判定部１３は、エリア判定用周期を変更し、以降、次に状態判定部１４がタッチディスプレイ３は引き出し中または引き戻し中であると判定するまで（ステップＳＴ７０４の“ＮＯ”の場合となるまで）、変更後のエリア判定用周期で操作可能領域を判定する（ステップＳＴ７０５）。例えば、アクティブエリア判定部１３は、状態判定部１４が、タッチディスプレイ３は引き出し中または引き戻し中であると判定するまで、次の操作可能領域の判定を行わず、ステップＳＴ７０３で判定した操作可能領域を維持する。また、例えば、アクティブエリア判定部１３は、状態判定部１４が、タッチディスプレイ３は引き出し中または引き戻し中であると判定するまで、エリア判定用周期を長くする。
【００３３】
状態判定部１４が、タッチディスプレイ３は静止中ではないと判定した場合、言い換えれば、タッチディスプレイ３は引き出し中または引き戻し中であると判定した場合（ステップＳＴ７０４の“ＮＯ”の場合）、ステップＳＴ７０５の動作は行わない。
【００３４】
このように、領域判定装置１ａは、タッチディスプレイ３が引き出し中であるか、タッチディスプレイ３が引き戻し中であるか、または、タッチディスプレイ３が静止中であるかの状態を判定し、判定結果に基づいて、操作可能領域の判定タイミングを変更する機能を有するようにすることができる。タッチディスプレイ３が静止中である場合、操作可能領域は固定され、変化しない。よって、タッチディスプレイ３が静止中である場合は、操作可能領域の判定の頻度は高くなくてもよい。領域判定装置１ａは、上述の機能を有するようにすることで、不要なタイミングでの操作可能領域の判定動作を省略することができる。
【００３５】
また、以上の実施の形態１に係る領域判定装置１，１ａにおいて、導電物タッチ検出部１２は、導電物５によるタッチを検出するための信号強度の強度判定用閾値を調整するようにしてもよい。
導電物５は、タッチディスプレイ３に接触させた状態であるため、タッチディスプレイ３の、引き出しまたは引き戻しを繰り返すことによって劣化し、その結果、タッチディスプレイ３において検出される信号強度が低下し得る。
図８は、実施の形態１において、導電物５が劣化する前と、導電物５が劣化した後の、タッチディスプレイ３において検出される信号強度のイメージを説明するための図である。
導電物５が劣化し、信号強度が低下すると、当該信号強度が強度判定用閾値未満となり、導電物タッチ検出部１２は、導電物５によるタッチの検出の際に、導電物５によるタッチであっても、導電物５によるタッチと検出しないようになってしまう可能性がある。
そこで、領域判定装置１，１ａにおいて、導電物タッチ検出部１２は、強度判定用閾値を調整可能とするようにしてもよい。
【００３６】
具体的には、導電物タッチ検出部１２は、強度判定用閾値を、前回の、導電物５によるタッチ検出時の信号強度に基づいて調整するようにする。例えば、導電物タッチ検出部１２は、導電物５によるタッチを検出した際に、当該タッチによる信号強度と強度判定用閾値との差が、予め設定された閾値より小さい場合、強度判定用閾値を小さくするよう調整する。導電物タッチ検出部１２は、強度判定用閾値をどれぐらい小さくするかは、例えば、導電物５によるタッチと検出した際のタッチによる信号強度と、強度判定用閾値との差に応じて決定すればよい。
【００３７】
このように、領域判定装置１，１ａは、導電物５によるタッチを検出するための強度判定用閾値を調整するようにすることができる。これにより、導電物５によるタッチの検出精度が低下することを防ぐことができる。
【００３８】
以上の実施の形態１では、例えば、図１または図３に示すように、タッチディスプレイ３は、一方の端が固定され、他方の端が引き出しまたは引き戻されることで、当該タッチディスプレイ３の操作可能領域が変化することを想定していた。
しかし、これは一例に過ぎず、タッチディスプレイ３は、両端が、それぞれ、引き出しまたは引き戻されることで、操作可能領域が変化するものであってもよい。タッチディスプレイ３が、両端がそれぞれ引き出しまたは引き戻されるタッチディスプレイ３であっても、領域判定装置１，１ａは、導電物５によるタッチによって、操作可能領域を判定することができる。
【００３９】
図９は、実施の形態１に係る領域判定装置１，１ａを、両端がそれぞれ引き出しまたは引き戻されるタッチディスプレイ３ａの操作可能領域の判定に適用した場合の、当該タッチディスプレイ３ａを備えた表示装置におけるタッチディスプレイ３ａおよび導電物５のイメージを説明する図である。
なお、図９では、タッチディスプレイ３ａおよび導電物５のみ図示するようにしている。
図９では、タッチディスプレイ３ａが、左右、いずれの方向にも巻き取り可能なタッチディスプレイ３ａとしている。なお、図９において、図９の９１で示す領域は、タッチディスプレイ３ａに設けられている、ユーザがタッチすることができない領域を示している。
この場合、図上、左方向または右方向のいずれの方向にタッチディスプレイ３ａが巻き取られているかを判別可能とするため、巻き取られる方向に応じて、導電物５の設置位置をずらすようにする。例えば、図９では、図上、左方向に巻き取られる側に設けられる導電物５を、図上、下側にずらし、図上、右方向に巻き取られる側に設けられる導電物５を、図上、上側にずらすようにしている。これにより、領域判定装置１，１ａは、タッチディスプレイ３ａの操作可能領域を判定することができる。
図９において、領域判定装置１，１ａが判定する操作可能領域を、９０１で示している。
領域判定装置１，１ａにおいて、導電物タッチ検出部１２は、左右の導電物５それぞれに対して、導電物５によるタッチを検出するための強度判定用閾値を調整するようにすることもできる。
【００４０】
図１０Ａ，図１０Ｂは、実施の形態１に係る領域判定装置１，１ａのハードウェア構成の一例を示す図である。
実施の形態において、タッチ検出部１１と、導電物タッチ検出部１２と、アクティブエリア判定部１３と、状態判定部１４の機能は、処理回路１００１により実現される。すなわち、領域判定装置１，１ａは、表示装置１００において、タッチディスプレイ３，３ａの操作可能領域の判定の制御を行うための処理回路１００１を有する。
処理回路１００１は、図１０Ａに示すように専用のハードウェアであっても、図１０Ｂに示すようにメモリに格納されるプログラムを実行するＣＰＵ（Ｃｅｎｔｒａｌ  Ｐｒｏｃｅｓｓｉｎｇ  Ｕｎｉｔ）１００３であってもよい。
【００４１】
処理回路１００１が専用のハードウェアである場合、処理回路１００１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものが該当する。
【００４２】
処理回路１００１がＣＰＵ１００３の場合、タッチ検出部１１と、導電物タッチ検出部１２と、アクティブエリア判定部１３と、状態判定部１４の機能は、ソフトウェア、ファームウェア、または、ソフトウェアとファームウェアとの組み合わせにより実現される。すなわち、タッチ検出部１１と、導電物タッチ検出部１２と、アクティブエリア判定部１３と、状態判定部１４は、ＨＤＤ（Ｈａｒｄ  Ｄｉｓｋ  Ｄｒｉｖｅ）１００２、メモリ１００４等に記憶されたプログラムを実行するＣＰＵ１００３、システムＬＳＩ（Ｌａｒｇｅ−Ｓｃａｌｅ  Ｉｎｔｅｇｒａｔｉｏｎ）等の処理回路により実現される。また、ＨＤＤ１００２、メモリ１００４等に記憶されたプログラムは、タッチ検出部１１と、導電物タッチ検出部１２と、アクティブエリア判定部１３と、状態判定部１４の手順や方法をコンピュータに実行させるものであるとも言える。ここで、メモリ１００４とは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の不揮発性または揮発性の半導体メモリ、磁気ディスク、フレキシブルディスク、光ディスク、コンパクトディスク、ミニディスク、あるいは、ＤＶＤ（Ｄｉｇｉｔａｌ  Ｖｅｒｓａｔｉｌｅ  Ｄｉｓｃ）が該当する。
【００４３】
なお、タッチ検出部１１と、導電物タッチ検出部１２と、アクティブエリア判定部１３と、状態判定部１４の機能について、一部を専用のハードウェアで実現し、一部をソフトウェアまたはファームウェアで実現するようにしてもよい。例えば、タッチ検出部１１については専用のハードウェアとしての処理回路１００１でその機能を実現し、導電物タッチ検出部１２と、アクティブエリア判定部１３と、状態判定部１４については処理回路がメモリ１００４に格納されたプログラムを読み出して実行することによってその機能を実現することが可能である。
【００４４】
以上のように、実施の形態１によれば、領域判定装置１，１ａは、タッチディスプレイ３，３ａがタッチされたことを検出するタッチ検出部１１と、タッチ検出部１１が検出したタッチに関する情報に基づき、タッチディスプレイ３の、表示装置１００に備えられた導電物５によるタッチ、を検出する導電物タッチ検出部１２と、導電物タッチ検出部１２が検出した、導電物５によるタッチの、タッチディスプレイ３，３ａ上のタッチ位置に基づき、操作可能領域を判定するアクティブエリア判定部１３を備えるように構成した。そのため、領域判定装置１，１ａは、複雑な仕組みを必要とすることなく、引き出しまたは引き戻しされることでタッチディスプレイ３，３ａ上の操作可能領域が変化するタッチディスプレイ３，３ａ、における操作可能領域を判定することができる。
【００４５】
また、実施の形態１によれば、領域判定装置１，１ａは、導電物タッチ検出部１２が検出した、導電物５によるタッチのタッチ位置の変化に基づいて、タッチディスプレイ３，３ａが引き出し中であるか、タッチディスプレイ３，３ａが引き戻し中であるか、または、タッチディスプレイ３，３ａが静止中であるかの、タッチディスプレイ３，３ａの状態を判定する状態判定部１４を備え、アクティブエリア判定部１３は、状態判定部１４が判定した、タッチディスプレイ３，３ａの状態に応じて、エリア判定用周期を変更するようにした。具体的には、例えば、アクティブエリア判定部１３は、エリア判定用周期で操作可能領域を判定しており、操作可能領域を判定後、状態判定部１４がタッチディスプレイ３は静止中であると判定した場合は、以降、状態判定部１４がタッチディスプレイ３，３ａは引き出し中または引き戻し中であると判定するまで、判定した操作可能領域を維持するようにした。また、例えば、アクティブエリア判定部１３は、操作可能領域を判定後、状態判定部１４がタッチディスプレイ３，３ａは静止中であると判定した場合は、以降、状態判定部１４がタッチディスプレイ３，３ａは引き出し中または引き戻し中であると判定するまで、エリア判定用周期を長くするようにした。これにより、領域判定装置１，１ａは、不要なタイミングでの操作可能領域の判定動作を省略することができる。
【００４６】
また、実施の形態１によれば、領域判定装置１，１ａにおいて、導電物タッチ検出部１２は、導電物５によるタッチを検出するための信号強度の閾値を、前回の、導電物５によるタッチ検出時の信号強度に基づいて調整するようにした。これにより、領域判定装置１，１ａは、導電物５によるタッチの検出精度が低下することを防ぐことができる。
【００４７】
また、実施の形態１によれば、表示装置１００は、可とう性を有し、引き出しまたは引き戻しされることでタッチ操作される領域が変化するタッチディスプレイ３，３ａと、タッチディスプレイ３，３ａを収納する収納部２と、収納部２の、タッチディスプレイ３，３ａが引き出しまたは引き戻しされるタッチディスプレイ用窓部２１に設けられた導電物５を備えるようにした。これにより、タッチディスプレイ３，３ａにおける、引き出しまたは引き戻しされることでタッチディスプレイ３，３ａ上の操作可能領域が変化するタッチディスプレイ３，３ａ、における操作可能領域を判定するための構成を、従来のセンシングパターンを備え、当該センシングパターンと導電パターンの対応付けを行う構成と比べ、より簡易な構成とすることができる。
【００４８】
なお、本願発明はその発明の範囲内において、実施の形態の任意の構成要素の変形、もしくは実施の形態の任意の構成要素の省略が可能である。
【産業上の利用可能性】
【００４９】
この発明に係る領域判定装置は、複雑な仕組みを必要とすることなく、引き出しまたは引き戻しされることでタッチディスプレイ上の操作可能領域が変化するタッチディスプレイ、における操作可能領域を判定することができるようにしたため、例えば、巻き取り式のタッチディスプレイにおいて、タッチ操作が可能な領域を判定する領域判定装置に適用することができる。
【符号の説明】
【００５０】
１，１ａ  領域判定装置、１１  タッチ検出部、１２  導電物タッチ検出部、１３  アクティブエリア判定部、１４  状態判定部、１００  表示装置、２  収納部、３  タッチディスプレイ、４  駆動制御部、５  導電物、２１  タッチディスプレイ用窓部、１００１  処理回路、１００２  ＨＤＤ、１００３  ＣＰＵ、１００４  メモリ。
【図１】
2020261439.tif 000003
【図２】
2020261439.tif 000004
【図３】
2020261439.tif 000005
【図４】
2020261439.tif 000006
【図５】
2020261439.tif 000007
【図６】
2020261439.tif 000008
【図７】
2020261439.tif 000009
【図８】
2020261439.tif 000010
【図９】
2020261439.tif 000011
【図１０】
2020261439.tif 000012
【手続補正書】
【提出日】令和3年5月21日(2021.5.21)
【手続補正２】
【補正対象書類名】明細書
【補正対象項目名】０００６
【補正方法】変更
【補正の内容】
【０００６】
この発明に係る領域判定装置は、引き出しまたは引き戻しされることでタッチ操作される領域が変化するタッチディスプレイを備える表示装置におけるタッチディスプレイの操作可能領域を判定する領域判定装置において、タッチディスプレイがタッチされたことを検出するタッチ検出部と、タッチ検出部が検出したタッチに関する情報に基づき、タッチディスプレイの、表示装置に備えられた導電物によるタッチ、を検出する導電物タッチ検出部と、導電物タッチ検出部が検出した、導電物によるタッチの、タッチディスプレイ上のタッチ位置に基づき、操作可能領域を判定するアクティブエリア判定部と、導電物タッチ検出部が検出した、導電物によるタッチのタッチ位置の変化に基づいて、タッチディスプレイが引き出し中であるか、タッチディスプレイが引き戻し中であるか、または、タッチディスプレイが静止中であるかの、タッチディスプレイの状態を判定する状態判定部を備え、アクティブエリア判定部は、エリア判定用周期で操作可能領域を判定しており、操作可能領域を判定後、状態判定部がタッチディスプレイは静止中であると判定した場合は、以降、状態判定部がタッチディスプレイは引き出し中または引き戻し中であると判定するまで、判定した操作可能領域を維持することを特徴とするものである。
【手続補正３】
【補正対象書類名】特許請求の範囲
【補正対象項目名】全文
【補正方法】変更
【補正の内容】
【特許請求の範囲】
【請求項１】
引き出しまたは引き戻しされることでタッチ操作される領域が変化するタッチディスプレイを備える表示装置における前記タッチディスプレイの操作可能領域を判定する領域判定装置において、
前記タッチディスプレイがタッチされたことを検出するタッチ検出部と、
前記タッチ検出部が検出したタッチに関する情報に基づき、前記タッチディスプレイの、前記表示装置に備えられた導電物によるタッチ、を検出する導電物タッチ検出部と、
前記導電物タッチ検出部が検出した、前記導電物によるタッチの、前記タッチディスプレイ上のタッチ位置に基づき、前記操作可能領域を判定するアクティブエリア判定部と、
前記導電物タッチ検出部が検出した、前記導電物によるタッチのタッチ位置の変化に基づいて、前記タッチディスプレイが引き出し中であるか、前記タッチディスプレイが引き戻し中であるか、または、前記タッチディスプレイが静止中であるかの、前記タッチディスプレイの状態を判定する状態判定部を備え、
前記アクティブエリア判定部は、エリア判定用周期で前記操作可能領域を判定しており、前記操作可能領域を判定後、前記状態判定部が前記タッチディスプレイは静止中であると判定した場合は、以降、前記状態判定部が前記タッチディスプレイは引き出し中または引き戻し中であると判定するまで、判定した前記操作可能領域を維持する
ことを特徴とする領域判定装置。
【請求項２】
前記アクティブエリア判定部は、前記エリア判定用周期で前記操作可能領域を判定しており、前記操作可能領域を判定後、前記状態判定部が前記タッチディスプレイは静止中であると判定した場合は、以降、前記状態判定部が前記タッチディスプレイは引き出し中または引き戻し中であると判定するまで、前記エリア判定用周期を長くする
ことを特徴とする請求項１記載の領域判定装置。
【請求項３】
前記導電物タッチ検出部は、前記導電物によるタッチを検出するための信号強度の閾値を、前回の、前記導電物によるタッチ検出時の信号強度に基づいて調整する
ことを特徴とする請求項１記載の領域判定装置。
【請求項４】
前記導電物は接地されている
ことを特徴とする請求項１記載の領域判定装置。
【請求項５】
引き出しまたは引き戻しされることでタッチ操作される領域が変化するタッチディスプレイを備える表示装置における前記タッチディスプレイの操作可能領域を判定する領域判定方法において、
タッチ検出部が、前記タッチディスプレイがタッチされたことを検出するステップと、
導電物タッチ検出部が、前記タッチ検出部が検出したタッチに関する情報に基づき、前記タッチディスプレイの、前記表示装置に備えられた導電物によるタッチ、を検出するステップと、
アクティブエリア判定部が、前記導電物タッチ検出部が検出した、前記導電物によるタッチの、前記タッチディスプレイ上のタッチ位置に基づき、前記操作可能領域を判定するステップと、
状態判定部が、前記導電物タッチ検出部が検出した、前記導電物によるタッチのタッチ位置の変化に基づいて、前記タッチディスプレイが引き出し中であるか、前記タッチディスプレイが引き戻し中であるか、または、前記タッチディスプレイが静止中であるかの、前記タッチディスプレイの状態を判定するステップを備え、
前記アクティブエリア判定部は、エリア判定用周期で前記操作可能領域を判定しており、前記操作可能領域を判定後、前記状態判定部が前記タッチディスプレイは静止中であると判定した場合は、以降、前記状態判定部が前記タッチディスプレイは引き出し中または引き戻し中であると判定するまで、判定した前記操作可能領域を維持するステップを有する
ことを特徴とする領域判定方法。
【国際調査報告】
2020261439.tif 000013
2020261439.tif 000014
2020261439.tif 000015
2020261439.tif 000016